(57)【特許請求の範囲】
【請求項１】
投入口から機内に流入する遊技媒体を計数する遊技媒体計数装置であって、
前記投入口の下流側に遊技球とメダルを分別する分別手段を有し、
前記分別手段は、
一の遊技球が通過可能な間隔を有して立設する複数の仕切板と、
隣り合う前記仕切板の間に位置し、これらの仕切板より高さが低く形成されるとともに、各仕切板からメダルの厚みを超える空間を空けて立設される、遊技球をその上端部で支持する支持板と、を備え、
隣り合う前記仕切板とそれらの間に位置する前記支持板とが、遊技球が通過する一の遊技球通路となるとともに、前記空間が、メダルが通過するメダル通路となり、
少なくともメダル径の範囲内で隣接する前記仕切板は、同じ高さとならないように形成した
ことを特徴とする遊技媒体計数装置。
【請求項２】
前記メダル径の範囲内で隣接する仕切板は、その上端部を繋げて形成される断面形状をメダルが前記空間に向けて滑降可能な山切り形状としてある請求項１記載の遊技媒体計数装置。
【請求項３】
前記メダル径Ｘと、前記仕切板の板厚Ｔと、前記遊技球径Ｚと、隣り合う前記仕切板間と遊技球との隙間Ｓと、同じ高さで形成される仕切板間の最小間隔Ｙと、前記最小間隔Ｙの間にある前記遊技球通路数ｎとが、
Ｙ＞Ｘ、かつ、Ｙ＝ｎＺ＋（ｎ−１）Ｔ＋ｎＳ
となる関係を満たす請求項１又は２記載の遊技媒体計数装置。
【請求項４】
前記仕切板の上端部であって、少なくとも前記投入口から機内に流入した遊技球とメダルが前記分別手段に導入される部分を、水平に形成した請求項１〜３のいずれか一項に記載の遊技媒体計数装置。
【請求項５】
前記分別手段の下側に前記空間を通過したメダルを回収する回収トレイを設け、
前記回収トレイは、メダルが通過不能、かつ、メダル径に満たない異物が通過可能なメダル選別手段を備える請求項１〜４のいずれか一項に記載の遊技媒体計数装置。
【発明の詳細な説明】
【技術分野】
【０００１】
本発明は、遊技媒体を計数する遊技媒体計数装置に関し、特に、遊技球とメダルを分別する遊技媒体計数装置に関する。
【背景技術】
【０００２】
パチンコホール，パチスロホール等の遊技場には、遊技客が獲得した遊技球やメダルなどの遊技媒体を計数する遊技媒体計数装置（以下、計数装置という）が設置されている。
このような計数装置としては、遊技球又はメダルのいずれかの遊技媒体を専ら計数する専用の計数装置が普及している。
このような専用の計数装置に、計数対象と異なる遊技媒体を誤って混入させると（例えば、遊技球を計数する計数装置にメダルを混入させると）、遊技媒体詰まりが発生し、これを解消するには計数装置を分解するなど多大な労力を費やさなければならなかった。
【０００３】
このような混入を解消可能な計数装置が特許文献１に提案されている。
この計数装置は、同じ投入口から流入したメダルと遊技球を分別する分別手段を備え、分別したそれぞれの遊技媒体を計数するように構成されている。
【先行技術文献】
【特許文献】
【０００４】
【特許文献１】特開２００７−１１１１０７号公報（第１９頁、第９図及び第１０図参照）
【発明の概要】
【発明が解決しようとする課題】
【０００５】
ところが、このような分別手段を備える計数装置では、以下のような問題を解決することができなかった。
特許文献１記載の分別手段は、図９に示すように、複数の棒部材で構成され、遊技球の通過を規制しつつ、メダルの通過を可能としている。
しかしながら、隣接する棒部材が同じ高さで形成されているため、棒部材にメダルが載置する可能性があり、計数中にメダルが滞留するおそれがあった。
【０００６】
本発明は、このような問題を解決するためになされたもので、メダル径の範囲内で隣接する、遊技球を誘導するための仕切板を、それぞれ異なる高さで形成することで、その上端部に載置されるメダルを傾かせて滞留不能とし、メダルと遊技球を分別する分別手段を備える計数装置を提供することを目的とする。
【課題を解決するための手段】
【０００７】
上記目的を達成するため、本発明の遊技媒体計数装置は、投入口から機内に流入する遊技媒体を計数する遊技媒体計数装置であって、前記投入口の下流側に遊技球とメダルを分別する分別手段を有し、前記分別手段は、一の遊技球が通過可能な間隔を有して立設する複数の仕切板と、隣り合う前記仕切板の間に位置し、これらの仕切板より高さが低く形成されるとともに、各仕切板からメダルの厚みを超える空間を空けて立設される、遊技球をその上端部で支持する支持板と、を備え、隣り合う前記仕切板とそれらの間に位置する前記支持板とが、遊技球が通過する一の遊技球通路となるとともに、前記空間が、メダルが通過するメダル通路となり、少なくともメダル径の範囲内で隣接する前記仕切板は、同じ高さとならないように形成した構成としてある。
【発明の効果】
【０００８】
本発明の遊技媒体計数装置によれば、混在したメダルと遊技球を、メダルを滞留させることなく分別できる。
【図面の簡単な説明】
【０００９】
【図１】本発明の一実施形態に係る遊技媒体計数装置を示す斜視図である。
【図２】本発明の一実施形態に係る遊技媒体計数装置の組立斜視図である。
【図３】本発明の一実施形態に係る遊技媒体計数装置において遊技球とメダルが流下する流下経路を模式的に示した断面図である。
【図４】本発明の一実施形態に係る遊技媒体計数装置の計数部を示す斜視図である。
【図５】本発明の一実施形態に係る遊技媒体計数装置の分別部を示し、（ａ）は、メダル径φ２５のメダルＭを適用可能な分別部の断面図であり、（ｂ）は、メダル径φ２５とメダル径φ３０のメダルＭを適用可能な分別部の断面図である。
【図６】本発明の一実施形態に係る遊技媒体計数装置の分別部を示す断面図で、混在した遊技球とメダルが分別される動作を示す説明図である。
【図７】本発明の一実施形態に係る遊技媒体計数装置の回収トレイを示す斜視図である。
【図８】本発明の一実施形態に係る回収トレイの組立斜視図である。
【図９】従来の遊技球とメダルの分別手段を示す断面図である。
【発明を実施するための形態】
【００１０】
以下、本発明に係る遊技媒体計数装置の好ましい実施形態について、各図を参照して説明する。
【００１１】
本実施形態に係る計数装置１は、各図に示すように、計数対象を遊技球とする計数装置であり、すり鉢形状のホッパー５に投入された遊技球が、その底面に配置された投入口５１から機内に流入するとともに、複数の仕切板３１により分流・整流されつつ、遊技球を検出する複数の近接センサ３４に誘導されて計数されるように構成されている。
また、計数装置１は、遊技球とメダルとを分別する分別手段を備え、ホッパー５に誤って投入されたメダルを容易に回収できるようになっている。
以下、本実施形態の計数装置１の具体的な構成について説明する。
【００１２】
計数装置１は、図１に示すように、計数値が記録されたレシートを発行するレシート発行部２１と、操作によりレシートの発行が開始される発行ボタン２１ａと、計数値等を表示するとともに、タッチ操作により所定の入力操作が可能なタッチパネルからなる表示部２２と、誤って混入したメダルを回収する回収トレイ６などを外装に備えている。
また、内装には、所定の交流電源から機内各部に適した電源を生成・供給する電源部、計数値などを記憶するＥＥＰＲＯＭやフラッシュメモリ等の不揮発性メモリからなる記憶部、異常時に警報を出力するスピーカやアンプ等からなる警報部、ホールコンピュータと通信を行う通信部、上記各部を制御するコンピュータとして構成された制御部などを備えている（いずれも不図示）。
【００１３】
計数装置１は、図２に示すように、装置本体２と、計数部３と、案内通路部４と、ホッパー５と、回収トレイ６とにそれぞれ分離可能に構成され、同図に示す順序で積層されて装置本体２に収容されている。
このように構成された計数装置１に遊技球とメダルが投入されたときのそれぞれの流下経路を、図３に模式的に示す。
【００１４】
同図に示すように、遊技球ＢとメダルＭの流下経路は、上から順に、ホッパー５と、案内通路部４と、計数部３と、回収トレイ６とで形成されている。ホッパー５に投入された遊技球ＢとメダルＭは、投入口５１から機内に流入するとともに、案内通路部４に導入される。次いで、計数部３に導入され、ここで遊技球ＢとメダルＭとに分別されつつ、分別された遊技球Ｂは近接センサ３４で検出される。一方のメダルＭは回収トレイ６に回収されるようになっている。以下に、各部の構成について説明する。
【００１５】
ホッパー５は、図２、図３に示すように、すり鉢形状に形成されるとともに、その底面に投入口５１を備え、ホッパー５に投入された遊技球ＢとメダルＭを、投入口５１から機内に流入させるようになっている。
案内通路部４は、図２、図３に示すように、遊技球ＢとメダルＭを計数部３に誘導するための通路として構成され、投入口５１と対向するように上方に開口する案内口４１と、計数部３の分別部３０に対向するように下方に開口する排出口４２とを備え、投入口５１からの遊技球ＢとメダルＭを、案内口４１から案内通路部４内に流入させ、排出口４２から流出させる。
【００１６】
計数部３は、図２〜図４に示すように、遊技球を分流・整流しつつ検出する装置で、本発明の分別手段を備えている。
計数部３は、遊技球Ｂを検出する複数の近接センサ３４と、遊技球Ｂを各近接センサ３４に誘導する複数の仕切板３１と、各仕切板３１の間に位置し、その上端部が遊技球Ｂの転動面となり近接センサ３４に向けて傾斜する支持板３２と、図３中ｃ方向に回動可能に軸３３ａに軸止され、支持板３２を転動する遊技球Ｂをその自重により一段にならす球ならし３３とを備えている。近接センサ３４からの検出信号は、制御部に入力され、制御部がこの入力数をカウントすることで、投入された遊技球数を計数するようになっている。
【００１７】
本発明の分別手段は、複数の仕切板３１と、その間に位置する支持板３２とで構成され、排出口４２からの遊技球ＢとメダルＭは、近接センサ３４に対して上流側に位置する分別部３０から計数部３に流入し、この分別部３０で、遊技球ＢとメダルＭとに分別される。
分別された遊技球Ｂは、図３中ａ方向に向かい、仕切板３１に案内されつつ、支持板３２の上端部を転動して、各近接センサ３４に誘導される。
一方のメダルＭは、図３中ｂ方向に向かい、仕切板３１と支持板３２との隙間となる空間３５を通過し、回収トレイ６に堆積する。
【００１８】
分別部３０は、排出口４２と対向する位置に配置され、支持板３２と同様に傾斜させずに、水平に形成されている。
分別部３０を支持板３２と同様に傾斜させると、メダルＭが仕切板３１の上端部（面）に載置した状態のまま下流側に滑降することも予想されるが、このように分別部３０を水平に形成することで、メダルＭが滑降することなく、遊技球ＢとメダルＭをこの分別部３０の範囲内で確実に分別することができる。
また、分別部３０は、図３に示すように、排出口４２より長く形成してある。これにより、排出口４２と分別部３０との間に遊技球ＢとメダルＭが逃げる隙間があったとしても確実に分別できる。
【００１９】
ここで、本実施形態に係る分別部３０の具体的な構成について以下に説明する。
図４は、計数部３の斜視図であり、図５は、図４中のＡ−Ａ断面を示す断面図であり、図５（ａ）は、メダル径φ２５のメダルＭを適用可能な分別部３０の断面図を示し、図５（ｂ）は、メダル径φ２５とメダル径φ３０のメダルＭを適用可能な分別部３０の断面図を示している。
各図に示すように、分別部３０は、一の遊技球Ｂが通過可能な間隔である、例えば、遊技球径Ｚ（例えば、１１ｍｍ）より僅かに広い間隔（例えば、１１＋０．１〜２ｍｍ）を有して鉛直方向に向かって立設する複数の仕切板３１と、隣り合う仕切板３１の間（ほぼ中央）に位置し、これらの仕切板３１より高さが低く形成されるとともに、各仕切板３１からメダルの厚みＷ（例えば、１．５ｍｍ）を超える空間３５（例えば、２ｍｍ以上）を空けて鉛直方向に向かって立設する、遊技球Ｂをその上端部で支持する支持板３２とで構成され、少なくともメダル径Ｘの範囲内で隣接する仕切板３１は、同じ高さとならないように形成してある。
ここで、メダル径Ｘの範囲内で隣接する仕切板３１とは、メダルＭを水平にした場合、そのメダル径Ｘの範囲内に位置する全ての仕切板３１であって、適用するメダル径Ｘをφ２５とした図５（ａ）では、仕切板３１ａと仕切板３１ｂがこれに該当し、適用するメダル径Ｘの最大値がφ３０とした図５（ｂ）では、仕切板３１ａと仕切板３１ｂと仕切板３１ｃがこれに該当する。
【００２０】
このように、少なくともメダル径Ｘの範囲内で隣接する仕切板３１を同じ高さとしないこと、すなわち、この範囲内で隣接する仕切板３１を異なる高さで形成することで、メダルＭを各仕切板３１の上端部であって、図５（ａ）では、仕切板３１ａと仕切板３１ｂの間、図５（ｂ）では、仕切板３１ａと仕切板３１ｂの間、又は仕切板３１ｂと仕切板３１ｃの間、又は仕切板３１ａと仕切板３１ｃの間に亘って載置させても、メダルＭは図中の左右いずれかに傾き、バランスを失う。その結果、メダルＭは各仕切板３１の上端部に滞留不能となり、その自重で分別部３０内に流入することになる。
空間３５はメダルの厚みＷを超える間隔を有することから、この空間３５がメダル通路となり、メダルＭはここを通過して回収トレイ６に向かって落下する。
なお、隣接する符号が同一の仕切板３１（例えば、仕切板３１ａと仕切板３１ａ）は、メダル径Ｘを超える範囲に位置するため、メダルＭが双方の上端部に跨ることはない。
【００２１】
また、各仕切板３１は、一の遊技球Ｂが通過可能な間隔である、例えば、遊技球径Ｚより僅かに広い間隔Ｚ＋Ｓ（例えば、Ｓ＝０．１〜２ｍｍ）を有して立設されるとともに、支持板３２はそれらの間にメダルの厚みＷを超える空間３５（例えば、２ｍｍ以上）を空けて位置することから、遊技球Ｂが空間３５を通過することはない。その結果、遊技球Ｂは両側の仕切板３１に案内されつつ、支持板３２の上端部を転動し、近接センサ３４に誘導される。つまり、隣り合う仕切板３１とそれらの間に位置する支持板３２とで、遊技球Ｂが通過する一の遊技球通路が形成され、遊技球Ｂはこの遊技球通路に沿って流下して回収される。
これにより、遊技球ＢとメダルＭの流下経路は異なることとなり、図３に示すように、遊技球Ｂはａ方向、メダルＭはｂ方向にそれぞれ流下して分別される。
【００２２】
また、図５（ａ），（ｂ）に示すように、メダル径Ｘの範囲内で隣接する仕切板３１ａ〜３１ｃは、その上端部を繋げて形成される断面形状をメダルＭが空間３５に向けて滑降可能な山切り形状としてある。
この場合の山切り形状とは、メダルＭと各仕切板３１ａ〜３１ｃの上端部との摩擦抵抗（鉛直方向成分）よりメダルＭの重さの方が大きくなる傾きを有する山切り形状をいう。通常、各仕切板３１ａ〜３１ｃの上端部を繋げた線分の傾きθが水平に対して大きくなるほどメダルＭがその上端部に亘って滞留しなくなる。この場合の傾きは、例えば、４５度以上となることが好ましいが、摩擦抵抗が少なければ、これ未満でもよい。
【００２３】
また、各仕切板３１ａ〜３１ｃの上端部は、鋭角に形成してある。これは、摩擦抵抗を少なくするだけでなく、メダルＭの載置する余地をなくすとともに、排出口４２から分別部３０に導入される遊技球Ｂを各仕切板３１間に効率的に振り分ける効果もある。
なお、各仕切板３１の上端部を繋げた線は、一直線でなくてもよい。例えば、図５（ｂ）において、仕切板３１ｂを、仕切板３１ａに満たないようさらに高く形成し、又は、仕切板３１ｃより低く形成し、仕切板３１ａ〜３１ｃの上端部を繋げた線が折れ線となってもよい。
【００２４】
また、同じ高さとなる仕切板３１ａは、同じ高さとなる仕切板３１ａ間の最小間隔Ｙ、メダル径Ｘ、仕切板３１の板厚Ｔ、遊技球径Ｚ、隣り合う仕切板３１間と遊技球Ｂとの隙間Ｓ、最小間隔Ｙの間にある遊技球通路数ｎ（ｎは１以上の整数）とすると、
Ｙ＞Ｘ、かつ、Ｙ＝ｎＺ＋（ｎ−１）Ｔ＋ｎＳ
となる関係式を満たすように配置されている。
【００２５】
例えば、各仕切板３１の板厚Ｔ＝２．５ｍｍ、遊技球径Ｚ＝１１ｍｍ、隣り合う仕切板３１間と遊技球Ｂとの隙間Ｓ＝１．５ｍｍとした場合において、同じ高さとなる仕切板３１ａ間にある遊技球通路数ｎ＝１とすると、上式から最小間隔Ｙ＝１２．５ｍｍと求められる。
しかしながら、一般的な既成メダルのメダル径Ｘは、φ２５又はφ３０のいずれかであることから、上式におけるＹ＞Ｘの関係を満たすことができない。そこで、同じ高さとなる仕切板３１ａ間にある遊技球通路数ｎ＝２とすると、上式から最小間隔Ｙ＝２７．５ｍｍと求められ、メダル径φ２５のメダルに対しては、Ｙ＞Ｘの関係を満たすことになる。
すなわち、遊技球Ｂと混在するメダルＭがメダル径φ２５のみである場合は、図５（ａ）に示すように、同じ高さとなる仕切板３１ａは、遊技球通路を２つ挟む度に配置すればよいことが分かる。
【００２６】
なお、上記の例では、メダル径φ２５のメダルに対してはＹ＞Ｘの関係を満たすが、メダル径φ３０に対してはＹ＞Ｘの関係を満たしていない。そこで、例えば、遊技球通路数ｎ＝２としたまま、板厚Ｔを７ｍｍに変更すると、上式から最小間隔Ｙ＝３２ｍｍと求められ、メダル径φ２５のメダルＭのみならずメダル径φ３０のメダルＭに対しても、Ｙ＞Ｘの関係を満たすことができる。
ところが、板厚Ｔ＝７ｍｍはあまり現実的な数値ではないため、板厚Ｔ＝２．５ｍｍのままにし、遊技球通路数ｎ＝３とすることで、上式から最小間隔Ｙ＝４２．５ｍｍと求められ、メダル径φ２５だけでなくメダル径φ３０のメダルＭに対しても、Ｙ＞Ｘの関係を満たすことになる。すなわち、遊技球Ｂと混在するメダルＭがメダル径φ２５のみならずメダル径φ３０もある場合は、図５（ｂ）に示すように、同じ高さとなる仕切板３１ａは、遊技球通路を３つ挟む度に配置すればよいことが分かる。
【００２７】
このように、上記の関係式に基づいて各仕切板３１を配置することで、分別部３０の設計が容易にできるとともに、従来の計数装置に僅かな設計変更を加えるだけで、本発明の分別手段とすることできる。
すなわち、遊技球を計数する計数装置は従来から遊技球を近接センサに誘導するための複数の通路（レーン）を備え、この通路は仕切板で仕切られている。そこで、この仕切板を、上記の関係式に当てはまるように配置するとともに、各仕切板の高さを違え、さらに、空間３５を形成するだけで本発明の分別手段を構成でき、製造コストの低減を図ることができる。
また、同じ高さの仕切板３１を一定の間隔毎に配置できるため、部品の共通化が図れ、より一層コストを低減できる。
【００２８】
以上のように構成された分別部３０により、図６に示すように、排出口４２から導入された遊技球ＢにメダルＭが混在していたとしても、メダルＭは空間３５を通過して回収トレイ６に向けて落下し、一方の遊技球Ｂは、支持板３２で支持されたまま、近接センサ３４に向けて誘導され、それぞれ異なる流下経路を選択することとなる。
【００２９】
回収トレイ６は、図３に示すように、メダルＭの最終的な受け皿として構成されている。
また、回収トレイ６は、メダルＭが通過不能、かつ、メダル径Ｘに満たない異物Ｄが通過可能なメダル選別手段を備え、メダルＭを回収しつつ、メダル以外のゴミ等の異物Ｄを捕集するようになっている。
【００３０】
具体的には、回収トレイ６は、図７、図８に示すように、上方に開口する引き出し形状を有し、外枠６１と内枠６２で構成されている。
外枠６１は、その底面６１ａにゴミ等の異物Ｄを堆積させて捕集する矩形状の箱体で、前面に把手６１１を備え、この把手６１１を摘んで装置本体２から引き出すことができる。
内枠６２は、メダル選別手段の一例であり、メダルＭが通過不能、かつ、メダル径Ｘに満たない異物Ｄが通過可能な網目を有する選別部６２１を備えている。
これにより、上記の空間３５を通過したメダルＭは、選別部６２１上に堆積し、メダル径Ｘに満たない異物Ｄは、選別部６２１を通過し、外枠６１の底面６１ａに堆積する。
また、内枠６２の内壁には、把手６２２を備え、この把手６１１を摘んで持ち上げることで、内枠６２を外枠６１から簡単に取り出すことができる。これにより、メダルＭと異物Ｄの分別が容易となる。
【００３１】
このように構成された計数装置１は、以下のように動作する。
遊技球Ｂをホッパー５に投入すると、投入された遊技球Ｂは、投入口５１から機内に流入する。このとき混在しているメダルＭも機内に流入することになる。
流入した遊技球ＢとメダルＭは、案内通路部４を経て、分別部３０に導入される。遊技球ＢとメダルＭは、この分別部３０で分別され、流下経路がそれぞれａ方向又はｂ方向に分かれる。
ａ方向に分岐した遊技球Ｂは、仕切板３１と支持板３２とで近接センサ３４に誘導されるとともに、この近接センサ３４で検出された後、遊技機が設置された図示しない遊技機島内に誘導されて回収される。
近接センサ３４からの検出信号は制御部に入力され、制御部は、この入力数から計数値を算出し、表示部２２を制御して計数値を表示させる。
発行ボタン２１ａを操作することで、制御部は、レシート発行部２１を制御して、計数値が印字されたレシートを発行させる。
一方、ｂ方向に分岐したメダルＭは、空間３５を通過し選別部６２１上に堆積する。装置本体２から回収トレイ６を引き出すことで、この堆積したメダルＭを容易に取り出すことができる。
【００３２】
以上説明したように、本実施形態に係る計数装置１によれば、遊技球を誘導するための仕切板３１の上にメダルＭが滞留することがないため、投入された遊技球ＢとメダルＭを余すことなく分別できる。
【００３３】
以上、本発明の遊技媒体計数装置において、好ましい実施形態を示して説明したが、本発明に係る遊技媒体計数装置は、上述した実施形態にのみ限定されるものではなく、本発明の範囲で種々の変更実施が可能であることは言うまでもない。
例えば、本実施形態では、本発明に係る分別手段を、遊技球を計数対象とする遊技球計数装置に適用したが、メダルを計数対象とするメダル計数装置に適用することもできる。
また、本実施形態の回収トレイ６に代わって、メダルを検出するメダル計数部を設ければ、メダルと遊技球の双方を計数する汎用計数装置とすることもできる。
また、本実施形態では、分別手段を計数部と一体的に形成したが、着脱自在に別体とすることもできる。例えば、案内通路部４に仕切板３１と支持板３２を設けてもよい。
また、本実施形態では、投入口５１と分別部３０との間に案内通路部４を設けたが、案内通路部４をなくすとともに、投入口５１と分別部３０とを近接させ、投入口５１からの遊技媒体が分別部３０に直接導入されるように構成してもよい。
【産業上の利用可能性】
【００３４】
本発明は、遊技球及び／又はメダルを計数する遊技媒体計数装置に適用することができる。
【符号の説明】
【００３５】
１  計数装置（遊技媒体計数装置）
２  装置本体
２１  レシート発行部
２２  表示部
３  計数部
３０  分別部（分別手段）
３１  仕切板（分別手段）
３２  支持板（分別手段）
３４  近接センサ
３５  空間
４  案内通路部
５  ホッパー
５１  投入口
６  回収トレイ
６１  外枠
６２  内枠
６２１  選別部（メダル選別手段）
【図１】
0005419014.tif 000002
【図２】
0005419014.tif 000003
【図３】
0005419014.tif 000004
【図４】
0005419014.tif 000005
【図５】
0005419014.tif 000006
【図６】
0005419014.tif 000007
【図７】
0005419014.tif 000008
【図８】
0005419014.tif 000009
【図９】
0005419014.tif 000010